(57)【要約】【課題】不正行為を抑制できる遊技機を提供する。【解決手段】化粧パネル３０の背後には、第１〜第３パネル５１、５２、５３が設けられている。各パネル間には空間が形成されており、各空間は前面側から順に前面側回収槽６０、液体封入槽４０、背面側回収槽６２となっている。液体封入槽４０には着色された液体が封入されている。化粧パネル３０及び第１パネル５１は透明で、第２パネル５２は液体封入槽４０に封入された液体とは異なる色に着色されている。液体封入槽４０が破損されて封入された液体が漏れ出すと、化粧パネル３０が変色する。また、このとき漏れだした液体は、前面側回収槽６０及び背面側回収槽６２により回収される。【選択図】図３
2009039235.tif 000002
【特許請求の範囲】
【請求項１】
遊技機本体の前面に化粧パネルが設けられた遊技機において、
前記化粧パネルの背後に設けられた液体封入槽と、
前記液体封入槽が破損して、前記液体封入槽に封入された液体が漏れ出た際に、漏れ出た液体を受ける液体回収槽とを設けるとともに、
前記遊技機本体の前面側から前記液体封入槽の内部を視認可能なように、前記化粧パネルの少なくとも一部及び前記液体封入槽の少なくとも一部を、透光性を有する部材から構成したことを特徴とする遊技機。
【請求項２】
前記液体として、着色された液体を用いるとともに、
前記液体封入槽から液体が漏れ出たときに報知メッセージを視認させるメッセージ記載部を、前記液体封入槽の背後に設けたことを特徴とする請求項１記載の遊技機。
【請求項３】
前記液体封入槽の内部を前部エリアと後部エリアとに区画するとともに、
前記液体として、互いに接触することで変色する第１、第２の２種類の液体を用い、前記液体封入槽が破損した際に前記第１の液体と前記第２の液体とが接触するように、前記第１の液体を前記前部エリアに封入し、前記第２の液体を前記後部エリアに封入したことを特徴とする請求項１記載の遊技機。
【請求項４】
前記液体回収槽に、回収した液体を排出するための排出口を設けたことを特徴とする請求項１〜３いずれか記載の遊技機。
【発明の詳細な説明】
【技術分野】
【０００１】
本発明は、パチンコ機やスロットマシンなどの遊技機に関するものである。
【背景技術】
【０００２】
遊技機の前面には、遊技機の機種に応じたデザインの画像がプリントされた化粧パネルが配置されている。例えば、スロットマシンの場合、メダルが払い出されるメダル受け皿の上方に化粧パネルが設けられている。また、下記特許文献１には、化粧パネル内に液体を封入した遊技機が記載されている。この遊技機では、液体中に発生させた気泡の作用で移動する可動体が設けられており、遊技者の視覚を刺激する効果を高めるようにしている。
【特許文献１】特開２００１−４６５８３号公報
【発明の開示】
【発明が解決しようとする課題】
【０００３】
ところで、スロットマシンでは、化粧パネルを貫通するように穴を空け、この穴からスロットマシンの内部に針金などを挿入し、化粧パネルの背後に配置されたメダル払い出し装置（ホッパ装置）を誤作動させ、メダルを払い出させるといった不正行為を行う者があり問題であった。上記特許文献１に記載されているように液体の封入された化粧パネルを用いた場合、化粧パネルに穴が空けられると封入された液体が漏れ出して不正行為が発覚するので、化粧パネルに穴を空けるといった不正行為を抑制できる。
【０００４】
しかしながら、上記特許文献１記載の装置では、仮に化粧パネルを貫通するように穴が空けられてしまうと、化粧パネルが破損して液体が漏れ出てしまう。そして、遊技店内や化粧パネル近傍の荷物が濡れてしまうといった問題や、漏れ出た液体がスロットマシンの内部に流れ込み、スロットマシンが故障してしまうといった問題があった。
【０００５】
本発明は、上記背景を鑑みてなされたものであり、化粧パネルに穴を空けるといった不正行為を抑制でき、かつ、化粧パネルが破損した際の問題を防止できる遊技機を提供することを目的としている。
【課題を解決するための手段】
【０００６】
上記目的を達成するために本発明の遊技機は、遊技機本体の前面に配置される化粧パネルを備えた遊技機において、前記化粧パネルに、前面パネルと、背面パネルと、これら２枚のパネル間に封入された液体とを有し、前記前面パネルの少なくとも一部が透明な部材から構成され、前記前面パネルを通して前記液体を視認可能な液体封入槽を設けるとともに、前記背面パネルに隣接するように設けられ、前記背面パネルが破損して前記液体封入槽から液体が漏れ出た際に、漏れ出た液体を受ける背面側回収槽を設けたことを特徴としている。
【０００７】
前記液体として、着色された液体を用いるとともに、前記液体封入槽から液体が漏れ出たときに報知メッセージを視認させるメッセージ記載部を、前記液体封入槽の背後に設けてもよい。
【０００８】
また、前記液体封入槽の内部を前部エリアと後部エリアとに区画するとともに、前記液体として、互いに接触することで変色する第１、第２の２種類の液体を用い、前記液体封入槽が破損した際に前記第１の液体と前記第２の液体とが接触するように、前記第１の液体を前記前部エリアに封入し、前記第２の液体を前記後部エリアに封入してもよい。
【０００９】
さらに、前記背面回収槽によって回収された液体を排出するための排出口を備えていることが好ましい。
【発明の効果】
【００１０】
本発明の遊技機は、化粧パネルに穴が空けられると、化粧パネルの背後に設けられた液体封入槽から液体が漏れ出るようにしたので、化粧パネルに穴を空けるといった不正行為を抑制できる。また、液体封入槽から漏れ出した液体を回収する液体回収槽を設けたので、漏れ出た液体が引き起こす問題を防止できる。
【００１１】
さらに、液体が漏れ出た際に報知メッセージを視認できるようにすれば、不正行為の発覚を早めることができる。また、化粧パネルに穴が空けられた際に液体封入槽に封入された２種類の液体が接触して変色するようにすれば、不正行為の発覚を早めることができる。さらに、液体回収槽によって回収された液体を排出するための排出口を設ければ、回収された液体の排出が容易となる。
【発明を実施するための最良の形態】
【００１２】
図１、図２に示すように、スロットマシン（遊技機）１０は、本体１２の前面側に前面扉１４が設けられ、背面側に筐体１６が設けられている。筐体１６は、前面が開口した箱状に形成されている。前面扉１４は、筐体１６に回動自在に設けられ、筐体１６の開口を開閉する。前面扉１４の上部には、表示窓１７が設けられ、前面扉１４の下部には、メダル投入口１８、スタートレバー２０、第１〜第３のストップボタン２２、２４、２６、受け皿２８が設けられている。また、前面扉１４には、受け皿２８の上方に、スロットマシン１０の機種名や、キャラクタ画像などがプリントされた化粧パネル３０が設けられている。
【００１３】
表示窓１７の背後には、第１〜第３のリール３２、３４、３６が設けられている。各リール３２、３４、３６の外周面には複数種類の図柄が配列されている。各リール３２、３４、３６は、メダル投入口１８にメダルを投入してスタートレバー２０を操作することで回転を開始し、各ストップボタン２２、２４、２６の操作に対応して停止する。各リール３２、３４、３６が停止すると、１リールあたり３個の図柄が表示窓１７に表示される。
【００１４】
化粧パネル３０の背後には、後述する液体封入槽４０が設けられ、さらにこの液体封入槽４０の背後には、ホッパ装置４２、設定変更ボタン４４、電源スイッチ４６が設けられている。ホッパ装置４２は、各リール３２、３４、３６が停止したときに表示窓１７に表示された図柄の組み合わせが当選役抽選により決定された所定の当選役に対応しており、この当選役が入賞した場合に駆動される。そして、入賞した当選役に応じた枚数のメダルを受け皿２８に払い出す。設定変更ボタン４４は、スロットマシン１０の設定を変更する際に操作される。電源スイッチ４６は、変更した設定の決定を行う際、及び、スロットマシン１０の電源のオンオフを行う際に操作される。
【００１５】
図３（Ａ）に示すように、化粧パネル３０の背後には、化粧パネル３０とほぼ同じ大きさに形成された第１、第２、第３パネル５１、５２、５３が、所定間隔を空けて平行に配置されている。また、各パネル３０、５１、５２、５３の間には、それぞれ矩形枠状のスペーサ５４、５５、５６が配置されており、各パネル及びスペーサにより複数の空間が形成されている。そして、第１パネル５１と第２パネル５２とスペーサ５５とにより形成された空間部分が液体封入槽４０となっており、ここに液体が封入されている。本実施形態では、この液体封入槽４０に封入する液体として着色された液体を用いている。
【００１６】
また、化粧パネル３０と第１パネル５１とスペーサ５４とにより形成された空間部分は前面側回収槽（液体回収槽）６０となっており、第２パネル５２と第３パネル５３とスペーサ５６とにより形成された空間部分は背面側回収槽（液体回収槽）６２となっている。そして、図３（Ｂ）に示すように、ドリル６４などにより液体封入槽４０が破損された際には、液体封入槽４０から漏れ出た液体が前面側回収槽６０、及び、背面側回収槽６２により回収されるようになっている。
【００１７】
化粧パネル３０及び第１パネル５１は、透明な部材から構成される。また、第２パネル５２は、液体封入槽４０に封入された液体の色とは異なる色に着色されている。これにより、液体封入槽４０に液体が封入されているときは、化粧パネル３０の背景色（機種名やキャラクタ画像がプリントされていない部分の色）が液体封入槽４０に封入された液体の色（液体が半透明の場合は液体の色と第２パネル５２の色との合成色）となり、液体封入槽４０から液体が漏れだしたときには、化粧パネル３０の背景色が第２パネル５２の色となる。
【００１８】
こうすることで、化粧パネル３０に穴を空けて、スロットマシン１０の内部に針金などを通し、ホッパ装置４２や設定変更ボタン４４などを不正に操作しようとすると、化粧パネル３０の背後に配置された液体封入槽４０が破損して化粧パネル３０の背景色が変わり不正行為が発覚する。これにより、化粧パネル３０に穴を空けるといった不正行為を抑制できる。また、液体封入槽４０から漏れ出た液体を回収するための前面側回収槽６０と背面側回収槽６２とを設けたので、万が一不正行為が行われて液体封入槽４０が破損した際にも遊技店内や化粧パネル近傍の荷物が濡れてしまうといったことや、漏れ出た液体がスロットマシン１０の内部に流れ込み、スロットマシン１０が故障してしまうといったことがない。
【００１９】
なお、本発明は、化粧パネルの背後に液体を封入した液体回収槽を設けるとともに、液体回収槽から漏れ出た液体を回収する液体回収槽を設ければよいので、細部の構成は上記実施形態に限定されず、適宜変更できる。例えば、上記実施形態では、液体封入槽に封入された液体の色とは異なる色に第２パネルを着色する例で説明をしたが、第２パネルを透明とし、第３パネルを、液体封入槽に封入された液体の色とは異なる色に着色してもよい。また、第２、第３パネルを透明とし、液体封入槽から液体が漏れ出た際に化粧パネルの背景が透明となり、スロットマシンの内部が視認されるようにしてもよい。
【００２０】
さらに、図４（Ａ）に示すように、液体封入槽４０から液体が漏れ出た際に、この旨を報知するための報知メッセージ７０が視認されるように構成するといったことも考えられる。なお、図４以降の図面を用いた説明では、上述した実施形態と同様の部材については同様の符号を付して説明を省略している。
【００２１】
図４（Ａ）において、液体封入槽４０には、赤色半透明の液体が封入されている。また、第２パネル５２は、白色に着色されるとともに、前面に赤色で報知メッセージ７０が記載されており、メッセージ記載部として機能する。こうすることで、液体封入槽４０に液体が封入されているときは、報知メッセージ７０を視認することができないが、同図（Ｂ）に示すように、液体封入槽４０から液体が漏れ出ると、同図（Ｃ）に示すように、報知メッセージ７０が視認できるようになる。これにより、不正行為が行われた際にその発覚を早めることができる。
【００２２】
なお、本例では、液体封入槽に赤色半透明の液体を封入し、白色の第２パネルに赤色で報知メッセージを記載する例で説明をしたが、液体封入槽に封入する液体、第２パネル、報知メッセージの色は適宜変更できる。例えば、液体封入槽に青色半透明の液体を封入し、黄色の第２パネルに青色で報知メッセージを記載してもよいし、液体封入槽に青色不透明の液体を封入し、黄色の第２パネルに赤色で報知メッセージを記載してもよい。
【００２３】
もちろん、第２パネルを透明とし、第３パネルに報知メッセージを記載してもよい。さらに、化粧パネルもしくは第１パネルに報知メッセージを記載するとともに、液体封入槽に報知メッセージと同じ色に着色された液体を封入するといったことも考えられる。この場合も、液体封入槽から液体が漏れ出ると報知メッセージが視認できるようになるので、不正の発覚を早めることができる。
【００２４】
また、上記実施形態では、液体封入槽に１種類の液体を封入する例で説明をしたが、本発明はこれに限定されるものではない。例えば、図５に示すように、第１パネル５１と第２パネル５２との間に仕切パネル８０を設け、この仕切パネル８０により液体封入槽４０を前部エリア８２と後部エリア８４とに区画し、前部エリア８２と後部エリア８４に種類の異なる液体を封入してもよい。
【００２５】
この場合、前部エリア８２及び後部エリア８４に封入する液体として、２種類の液体が接触した際に変色するものを用いる。２種類の液体の具体的な組み合わせとしては、例えば、接触することで無色から紫色に変色するフェノールフタレイン溶液とアンモニア水の組み合わせなどが挙げられる。こうすることで、不正行為が行われると前部エリア８２と後部エリア８４とに封入された２種類の液体が混じり合って変色するので、不正行為の発覚を早めることができる。
【００２６】
さらに、上記実施形態では、液体回収槽として、前面側回収槽と背面側回収槽とを設ける例で説明をしたが、本発明はこれに限定されるものではない。液体回収槽の設置位置や設置個数、並びに、形状などの細部の構成は適宜変更してよい。例えば、図６に示すように、前面側回収槽を廃止してもよい。図６の例では、化粧パネル３０と第１パネル５１とスペーサ５４との間に形成された空間部分を液体封入槽４０として、ここに着色された液体を封入している。また、第１パネル５１と第２パネル５２とスペーサ５５との間に形成された空間部分を背面側回収槽６２としている。
【００２７】
こうすることで、不正行為が行われて液体封入槽４０が破損すると、第１パネル５１の背面から漏れ出た液体が背面側回収槽６２により回収されるので、スロットマシン１０の内部に収容された部品の故障を防ぐことができる。また、不正行為が行われて液体封入槽４０が破損すると、化粧パネル３０の前面側に漏れ出た液体が不正行為を行った者に付着するので、不正を行った者を容易に識別することができる。
【００２８】
また、図７に示すように、前面側回収槽６０と背面側回収槽６２とに加え、下部回収槽（液体回収槽）９０を設けてもよい。図７の例では、化粧パネル３０の下端部から第３パネルの下端部までの範囲を覆うように、上面が開口した容器９２を配置している。そして、この容器９２の内側部分が下部回収槽９０となっている。また、化粧パネル３０と第１パネル５１との間、及び、第２パネル５２と第３パネル５３との間に、下端部が開口した略コ字形状のスペーサ９４、９６を配置している。
【００２９】
こうすることで、不正行為が行われて液体封入槽４０が破損すると、液体封入槽４０から漏れ出た液体が前面側回収槽６０や背面側回収槽６２を介して下部回収槽９０に流れ込んで回収される。これにより、化粧パネル３０の下部からスロットマシン１０の内部へ向けて穴が空けられたときも液体封入槽４０から漏れ出た液体を確実に回収することができる。
【００３０】
すなわち、化粧パネル３０の下部からスロットマシン１０の内部へ向けて穴が空けられると、化粧パネル３０の下部のみならず第３パネル５３の下部にも穴が空けられることとなり、前面側回収槽６０及び背面側回収槽６２に十分な量の液体を貯留できない。このため、下部回収槽９０を設けない場合、化粧パネル３０の下部からスロットマシン１０の内部へ向けて穴が空けられると、液体封入槽４０から漏れ出た液体が化粧パネル３０や第３パネル５３に空けられた穴からスロットマシン１０の内部や店内に溢れ出てしまうといった問題がある。これに対し、本例の場合、液体封入槽４０から漏れ出た液体が前面側回収槽６０や背面側回収槽６２を介して下部回収槽９０に流れ込むので、前述した問題を防止できる。
【００３１】
さらに、図８に示すように、回収した液体を排出するための排出口１００を設けてもよい。図８の例では、下部回収槽９０の下端部（容器９２の底部）に排出口１００を設けている。排出口１００は、通常は封止栓１０２によって閉口されている。本例によれば、不正行為により液体封入槽４０が破損された場合、排出口１００の下方に排出された液体を受けるための容器を配置して封止栓１０２を外すことで、下部回収槽９０により回収した液体を簡単にスロットマシン外に排出できる。このため、スロットマシンを修理するなどの際に便利である。
【００３２】
もちろん、図９に示すように、前面側回収槽６０（スペーサ５４）の下端部と背面側回収槽６２（スペーサ５６）の下端部とのそれぞれに排出口１１０、１１２を設けてもよい。図９の例では、排出口１１０と排出口１１２とが３又のホース１１４の端部１１４ａ、１１４ｂにそれぞれ接続されている。また、ホース１１４の残りの端部１１４ｃは、封止栓１１６により封止されている。本例によれば、封止栓１１６を外すことで、前面側回収槽６０と背面側回収槽６２とのそれぞれにより回収した液体を簡単にスロットマシン外に排出できる。
【００３３】
また、本例によれば、不正行為が行われた際に、液体封入槽４０から漏れ出た液体が、前面側回収槽６０及び背面側回収槽６２を介して、ホース１１４内に流れ込む。このため、下部回収槽９０を設けた場合（図７、８参照）と同様に、化粧パネル３０の下部からスロットマシンの内部へ向けて穴が空けられた場合も、液体封入槽４０から漏れ出た液体がスロットマシンの内部や店内に溢れ出てしまうといったことがない。
【００３４】
なお、上記実施形態では、２枚のパネル間に液体を封入する例で説明をしたが、本発明はこれに限定されるものではない。例えば、図１０に示すように、ビニールなどから形成されたパック１２０に液体を封入してもよい。図１０の例では、化粧パネル３０の背面に液体の封入されたパック１２０を配置するとともに、パック１２０の下方に容器９２を配置して、パック１２０が破損した際に漏れ出た液体を回収するようにしている。また、本例では、パック１２０が破損した際にスロットマシン１０の内部に液体が飛び散らないように、パック１２０の上部や背後及び側部を覆うケース１２２を設け、このケース１２２内にパック１２０を配置している。このように構成しても上記実施形態と同様の効果を得ることができる。
【００３５】
また、上記実施形態では、スロットマシンの前面側から観察した際に、化粧パネルの設けられた領域と液体封入槽の設けられた領域とがほぼ一致する例で説明をしたが、本発明はこれに限定されるものではない。化粧パネルの設けられた領域よりも液体封入槽の設けられた領域が小さくなるように、液体封入槽を小型化してもよい。この場合、化粧パネルの設けられた領域のうち、不正行為により穴が空けられ易い領域をカバーするように小型の液体封入槽を配置すればよい。もちろん、このような小型の液体封入槽を化粧パネルと平行な面内に複数配置してもよい。
【００３６】
以上、スロットマシンに本発明を適用する例で説明をしたが、スロットマシン以外の遊技機、例えば、パチンコ機に本発明を適用してもよい。
【図面の簡単な説明】
【００３７】
【図１】スロットマシンの外観斜視図である。
【図２】前面扉を開いた状態を示すスロットマシンの外観斜視図である。
【図３】液体封入槽、前面側回収槽、背面側回収槽の断面図である。
【図４】液体封入槽に封入された液体が漏れ出た際に、報知メッセージを視認させる構成の例を示す説明図である。
【図５】液体封入槽を前部エリアと後部エリアとに仕切るとともに、互いに接触することで変色する２種類の液体うち一方を前部エリアに封入し、他方を後部エリアに封入した例を示す説明図ある。
【図６】前面側回収槽を廃止した例を示す説明図である。
【図７】下部回収槽を設けた例を示す説明図である。
【図８】排出口を設けた例を示す説明図である。
【図９】排出口を設けた例を示す説明図である。
【図１０】パックに液体を封入した例を示す説明図である。
【符号の説明】
【００３８】
１０  スロットマシン
３０  化粧パネル
４０  液体封入槽
６０  前面側回収槽（液体回収槽）
６２  背面側回収槽（液体回収槽）
７０  報知メッセージ
８０  仕切パネル
８２  前部エリア
８４  後部エリア
９０  下部回収槽（液体回収槽）
１００、１１０、１１２  排出口
１０２、１１６  封止栓
１２０  パック
【図１】
2009039235.tif 000003
【図２】
2009039235.tif 000004
【図３】
2009039235.tif 000005
【図４】
2009039235.tif 000006
【図５】
2009039235.tif 000007
【図６】
2009039235.tif 000008
【図７】
2009039235.tif 000009
【図８】
2009039235.tif 000010
【図９】
2009039235.tif 000011
【図１０】
2009039235.tif 000012